(57)【要約】  ランダムアクセス方式に基づいて、無線基地局から無線端末に下り回線通信を行う場合に、無線基地局が取得した送信権（ＴＸＯＰアクセス）、または無線端末が取得し無線基地局に譲渡された送信権（ＲＸＯＰアクセス）に基づいて下り回線通信を行う無線通信システムにおいて、無線基地局は、無線端末ごとに送信するデータフレームを順次格納する送信バッファに対して、ＲＸＯＰアクセスによる無線端末Ａ宛のデータフレームの送信状況に応じて、当該無線端末Ａ宛のＴＸＯＰアクセスによる送信待ちデータフレームの優先順位を下げる処理を行う制御手段を備える。
2017033789.tif 000002
【特許請求の範囲】
【請求項１】
ランダムアクセス方式に基づいて、無線基地局から無線端末に下り回線通信を行う場合に、無線基地局が取得した送信権（以下、ＴＸＯＰアクセスという）、または無線端末が取得し無線基地局に譲渡された送信権（以下、ＲＸＯＰアクセスという）に基づいて下り回線通信を行う無線通信システムにおいて、
前記無線基地局は、前記無線端末ごとに送信するデータフレームを順次格納する送信バッファに対して、前記ＲＸＯＰアクセスによる無線端末Ａ宛のデータフレームの送信状況に応じて、当該無線端末Ａ宛の前記ＴＸＯＰアクセスによる送信待ちデータフレームの優先順位を下げる処理を行う制御手段を備えた
ことを特徴とする無線通信システム。
【請求項２】
請求項１に記載の無線通信システムにおいて、
前記制御手段は、前記無線端末Ａ宛の先頭からＰ個（Ｐは正の整数）のデータフレームを後方に順次シフトし、前記無線端末Ａ宛の送信待ちデータフレームの優先順位を下げる処理を行う構成である
ことを特徴とする無線通信システム。
【請求項３】
請求項１に記載の無線通信システムにおいて、
前記制御手段は、前記無線端末Ａ以外の無線端末宛の先頭からＰ個（Ｐは正の整数）のデータフレームを前方に順次シフトし、前記無線端末Ａ宛の送信待ちデータフレームの優先順位を下げる処理を行う構成である
ことを特徴とする無線通信システム。
【請求項４】
請求項１に記載の無線通信システムにおいて、
前記制御手段は、前記無線端末Ａ以外の無線端末宛の先頭からＰ個（Ｐは正の整数）のデータフレームを前記送信バッファの先頭にシフトし、前記無線端末Ａ宛の送信待ちデータフレームの優先順位を下げる処理を行う構成である
ことを特徴とする無線通信システム。
【請求項５】
請求項１に記載の無線通信システムにおいて、
前記制御手段は、前記無線端末Ａ宛のデータフレームのシフト位置を一定比率ρで間引きながら後方にシフトし、前記無線端末Ａ宛の送信待ちデータフレームの優先順位を下げる処理を行う構成である
ことを特徴とする無線通信システム。
【請求項６】
請求項１に記載の無線通信システムにおいて、
前記制御手段は、前記ＲＸＯＰアクセスによる前記無線端末Ａ宛のデータフレームの送信成功を契機として、前記無線端末Ａ宛の送信待ちデータフレームの優先順位を下げる処理を行う構成である
ことを特徴とする無線通信システム。
【請求項７】
請求項１に記載の無線通信システムにおいて、
前記制御手段は、前記ＲＸＯＰアクセスによる前記無線端末Ａ宛のデータフレームが前記送信バッファの先頭に連続して存在する時間長が所定値を上回ったことを契機として、前記無線端末Ａ宛の送信待ちデータフレームの優先順位を下げる処理を行う構成である
ことを特徴とする無線通信システム。
【請求項８】
請求項１に記載の無線通信システムにおいて、
前記制御手段は、前記ＲＸＯＰアクセスによる前記無線端末Ａ宛のデータフレームの数またはデータフレームのビット量が所定値を上回ったことを契機として、前記無線端末Ａ宛の送信待ちデータフレームの前記優先順位を下げる処理を行う構成である
ことを特徴とする無線通信システム。
【請求項９】
ランダムアクセス方式に基づいて、無線基地局から無線端末に下り回線通信を行う場合に、無線基地局が取得した送信権（以下、ＴＸＯＰアクセスという）、または無線端末が取得し無線基地局に譲渡された送信権（以下、ＲＸＯＰアクセスという）に基づいて下り回線通信を行う無線通信方法において、
前記無線基地局は、前記無線端末ごとに送信するデータフレームを順次格納する送信バッファに対して、前記ＲＸＯＰアクセスによる無線端末Ａ宛のデータフレームの送信状況に応じて、当該無線端末Ａ宛の前記ＴＸＯＰアクセスによる送信待ちデータフレームの優先順位を下げる処理を行う
ことを特徴とする無線通信方法。
【発明の詳細な説明】
【技術分野】
【０００１】
本発明は、ＣＳＭＡ／ＣＡ（Carrier Sense Multiple Access ／Collision Avoidance ）などのランダムアクセス方式に基づいて通信を行う無線通信システムおよび無線通信方法において、無線基地局（ＡＰ：Access Point）から無線端末（ＳＴＡ：STAtion ）へ下り回線通信を行うときの送信制御に関する。
特に、ＡＰが取得した送信権あるいはＳＴＡが取得してＡＰに譲渡された送信権に基づいて、ＡＰが送信するときの送信バッファのスケジュール制御に関する。
【背景技術】
【０００２】
国際標準規格IEEE802.11準拠の無線ＬＡＮ（Local Area Network）システムのスループットが年々向上しており、主要な無線アクセスの１つとして普及している（非特許文献１）。無線ＬＡＮシステムは、免許不要の周波数帯であるアンライセンスバンドで用いることができるため、多種多様な無線端末が普及している。特に、スマートフォンの普及は、無線ＬＡＮシステムの利用の機会を著しく増大させている。【０００３】
無線ＬＡＮシステムが用いる周波数帯であるアンライセンスバンドは、 2.4ＧHz帯、５ＧHz帯、60ＧHz帯に割り当てられている。マイクロ波帯の 2.4ＧHz帯と５ＧHz帯において、無線ＬＡＮシステムが日本国内で利用できる帯域は、およそ 500ＭHzである。また、日本国外においては同等またはそれ以上の帯域が、無線ＬＡＮシステムが利用可能な帯域として割り当てられている。一方で、アンライセンスバンドにおける無線通信は、ＣＳＭＡ／ＣＡなどのランダムアクセス方式に基づいて行われるため、隠れ端末問題が大きな障害となっている。ＲＴＳ（Request To Send ）／ＣＴＳ（Clear To Send ）を用いたフロー制御は、隠れ端末問題の解決に向けて提案されている。【０００４】
ここで、図９に示すように、アンライセンスバンドを用いて送信ノードであるＡＰと受信ノードであるＳＴＡ１が通信するエリアには、２つの無線ＬＡＮａおよび無線ＬＡＮｂが存在する。ＡＰは、一方の無線ＬＡＮａのＡＰａおよびＳＴＡａの無線信号を検出できる位置に存在する。ＳＴＡ１は、一方の無線ＬＡＮａのＡＰａおよびＳＴＡａの無線信号と、他方の無線ＬＡＮｂのＡＰｂおよびＳＴＡｂの無線信号を検出できる位置に存在する。すなわち、ＡＰは無線ＬＡＮｂのＡＰｂとＳＴＡｂの無線信号を検出できず、無線ＬＡＮｂはＡＰからみて隠れ端末の関係になっている。【０００５】
ＡＰがＳＴＡ１に対してユーザデータを送信する前に、ＡＰがＲＴＳフレームを送信し、ＳＴＡ１がＣＴＳフレームを送信する。このとき、無線ＬＡＮａの無線基地局ＡＰａおよび無線端末ＳＴＡａは、ＲＴＳフレームまたはＣＴＳフレームに応じて送信禁止時間（ＮＡＶ）を設定する。また、無線ＬＡＮｂの無線基地局ＡＰｂおよび無線端末ＳＴＡｂは、ＳＴＡ１が送信するＣＴＳフレームに応じてＮＡＶを設定する。これにより、無線ＬＡＮａが通信を停止するとともに、ＡＰからみて隠れ端末となる無線ＬＡＮｂも通信を停止し、ＡＰがランダムアクセスの送信権を取得した無線チャネルでＳＴＡ１に対して送信を行うことができる。【０００６】
このように、ＲＴＳフレームとＣＴＳフレームの交換は、ＡＰから検出できない無線ＬＡＮｂの無線信号が存在している場合に、ＳＴＡ１がＡＰからのＲＴＳフレームに応じてＣＴＳフレームを送信してＮＡＶを設定することにより、隠れ端末問題を解消してスループットの低下を防ぐことが可能になっている。【０００７】
ところで、標準化組織３ＧＰＰでは、無線ＬＡＮのアンライセンスバンドを用いるセルラシステムの議論を開始しており（非特許文献２）、アンライセンスバンドの活用方法に注目が集まっている。すなわち、セルラシステムにおいて、無線ＬＡＮの周波数帯（アンライセンスバンド）をアンライセンスバンドの規格に沿って活用することも検討されている。ここで、無線ＬＡＮとして記載したが、アンライセンスバンドにおいてランダムアクセスで通信するいかなる通信システムであってもよい。【０００８】
例えば図９に示す状況において、ＡＰからＳＴＡ１へデータフレームを送信する場合、ＡＰから隠れ端末となる無線ＬＡＮｂの無線信号が無線リソースを逼迫している環境、すなわち常に無線信号が送信されている環境が考えられ。この場合、ＡＰから送信されるＲＴＳフレームが衝突してＳＴＡ１に受信されなかったり、ＳＴＡ１が無線ＬＡＮｂから設定されるＮＡＶにより、ＡＰから送信されたＲＴＳフレームに対するＣＴＳフレームを送信できないことがあり、ＲＴＳ／ＣＴＳに基づく制御を行ってもスループットが低下する問題があった。このような問題に対し、ＳＴＡ１が無線ＬＡＮａおよび無線ＬＡＮｂの無線信号を検出しないときに、それぞれにＮＡＶを設定して送信権を取得する。そして、ＳＴＡ１は取得した送信権をＡＰへ譲渡し、ＡＰが譲渡された送信権によりデータフレームを送信することで、ＡＰにおける隠れ端末の影響を軽減してＡＰからＳＴＡ１への下り回線のスループットを改善することができる（非特許文献３）。
【先行技術文献】
【非特許文献】
【０００９】
【非特許文献１】IEEE Std 802.11ac(TM)-2013, IEEE Standard for Information technology -Telecommunications and information exchange between systems Local and metropolitan area networks - Specific requirements, Part 11: Wireless LAN Medium Access Control (MAC) and Physical Layer (PHY) Specifications, December 2013
【非特許文献２】RP-140057,“On the primacy of licensed spectrum in relation to the proposal of using LTE for a licensed-assisted access to unlicensed spectrum, ” 3GPP TSG-RAN #63, Mar. 2014.
【非特許文献３】R. Kudo, B. A. H. S. Abeysekera,Y. Takatori, T. Ichikawa, M. Mizoguchi, H. Yasuda, A. Yamada, Y. Okumura, “Channel access acquisition mechanism coupled with cellular network for unlicensed spectrum, ” in Proc., VTC2015-Spring, May 2015.
【発明の概要】
【発明が解決しようとする課題】
【００１０】
しかしながら、ＳＴＡが複数存在する場合、ＡＰから送信するユーザデータのスケジューリングはより複雑なものとなる。図１０に、ＡＰが３台のＳＴＡ１〜ＳＴＡ３と下り回線通信を行っている状況を示す。【００１１】
ＡＰおよびＳＴＡ１の関係は図９と同様であり、ＡＰは無線ＬＡＮａの通信を検出でき、ＳＴＡ１は無線ＬＡＮａおよび無線ＬＡＮｂの通信を検出できる。そのため、ＡＰからＳＴＡ１への下り回線通信において、ＡＰが送信権を取得する方式（以下、「ＴＸＯＰアクセス」という）では、隠れ端末の関係にある無線ＬＡＮｂの通信状況によってスループットが低下することがあった。一方、ＳＴＡ１が無線ＬＡＮａおよび無線ＬＡＮｂの無線信号を検出しないときに取得した送信権をＡＰに譲渡する方式（以下、「ＲＸＯＰアクセス」という）では、スループットの改善が期待された。【００１２】
ＳＴＡ２は、無線ＬＡＮａの通信および無線ＬＡＮｂの通信をともに検出できない所に位置している。ＡＰがＳＴＡ２に対してＴＸＯＰアクセスを行う場合には、無線ＬＡＮｂは隠れ端末の関係にないので、スループットが低下する要因にはならない。一方、ＡＰがＳＴＡ２に対してＲＸＯＰアクセスを行う場合には、ＳＴＡ２から無線ＬＡＮａは隠れ端末の関係になるので、無線ＬＡＮａの通信状況によってはスループットが低下することがあった。【００１３】
ＳＴＡ３は、無線ＬＡＮｂの通信を検出できるが、無線ＬＡＮａの通信を検出できない所に位置している。ＡＰがＳＴＡ３に対してＴＸＯＰアクセスを行う場合にはＳＴＡ１と同様に、隠れ端末の関係にある無線ＬＡＮｂの通信状況によってスループットが低下することがあった。一方、ＡＰがＳＴＡ３に対してＲＸＯＰアクセスを行う場合にはＳＴＡ１と異なり、ＳＴＡ３から無線ＬＡＮａは隠れ端末の関係になるので、無線ＬＡＮａの通信状況によってはスループットの改善は期待できない。【００１４】
このように、ＡＰからＳＴＡへの下り回線通信において、ＳＴＡの位置に応じて、ＳＴＡ２のようにＴＸＯＰアクセスにより良好なスループットを期待できる場合もあれば、ＳＴＡ１のようにＲＸＯＰアクセスにより良好なスループットを期待できる場合もある。【００１５】
図１１は、従来のＡＰの送信バッファの状態を示す。
図１１において、ＡＰの送信バッファにおける送信スケジュールは、基本的にＦＩＦＯ（First-in,First-out）などの固定ポリシーに基づいて行われる。ＡＰは、ＳＴＡ１，ＳＴＡ２宛てのデータフレームを保持している。ＡＰにおけるＳＴＡ１，ＳＴＡ２宛てのデータフレームの送信予定順は、先頭からＳＴＡ１宛てのシーケンス番号ｎのデータフレーム、ＳＴＡ１宛てのシーケンス番号ｎ＋１のデータフレーム、ＳＴＡ２宛てのシーケンス番号ｍのデータフレーム、ＳＴＡ１宛てのシーケンス番号ｎ＋２のデータフレーム、ＳＴＡ２宛てのシーケンス番号ｍ＋１のデータフレーム、ＳＴＡ１宛てのシーケンス番号ｎ＋３のデータフレームが続いている。図１１では、ＳＴＡ１宛てのシーケンス番号ｎのデータフレームをＳＴＡ１(n) と表記し、他も同様に表記している。【００１６】
ここで、ＡＰがＳＴＡ１，ＳＴＡ２に対してＴＸＯＰアクセスを行う場合には、ＳＴＡ１に対するスループットは低下するが、ＳＴＡ２に対するスループットは改善する。一方、ＡＰがＳＴＡ１，ＳＴＡ２に対してＲＸＯＰアクセスを行う場合には、ＳＴＡ１に対するスループットは改善するが、ＳＴＡ２に対するスループットは低下する。このように、ＡＰがＴＸＯＰアクセスとＲＸＯＰアクセスを混在して運用する場合に、ユーザ間にスループットの不公平が生じることがあった。また、一部のＳＴＡ宛のデータフレームの送信失敗を繰り返し、システムスループットが低下することがあった。【００１７】
本発明は、ＴＸＯＰアクセスとＲＸＯＰアクセスを行う無線通信システムにおいて、ユーザ間で著しいスループットの不平等が生じないように送信バッファのスケジュール制御を行う無線通信システムおよび無線通信方法を提供することを目的とする。
【課題を解決するための手段】
【００１８】
第１の発明は、ランダムアクセス方式に基づいて、無線基地局から無線端末に下り回線通信を行う場合に、無線基地局が取得した送信権（ＴＸＯＰアクセス）、または無線端末が取得し無線基地局に譲渡された送信権（ＲＸＯＰアクセス）に基づいて下り回線通信を行う無線通信システムにおいて、無線基地局は、無線端末ごとに送信するデータフレームを順次格納する送信バッファに対して、ＲＸＯＰアクセスによる無線端末Ａ宛のデータフレームの送信状況に応じて、当該無線端末Ａ宛のＴＸＯＰアクセスによる送信待ちデータフレームの優先順位を下げる処理を行う制御手段を備える。【００１９】
第１の発明の無線通信システムにおいて、制御手段は、無線端末Ａ宛の先頭からＰ個（Ｐは正の整数）のデータフレームを後方に順次シフトし、無線端末Ａ宛の送信待ちデータフレームの優先順位を下げる処理を行う構成である。【００２０】
第１の発明の無線通信システムにおいて、制御手段は、無線端末Ａ以外の無線端末宛の先頭からＰ個（Ｐは正の整数）のデータフレームを前方に順次シフトし、無線端末Ａ宛の送信待ちデータフレームの優先順位を下げる処理を行う構成である。【００２１】
第１の発明の無線通信システムにおいて、制御手段は、無線端末Ａ以外の無線端末宛の先頭からＰ個（Ｐは正の整数）のデータフレームを送信バッファの先頭にシフトし、無線端末Ａ宛の送信待ちデータフレームの優先順位を下げる処理を行う構成である。【００２２】
第１の発明の無線通信システムにおいて、制御手段は、無線端末Ａ宛のデータフレームのシフト位置を一定比率ρで間引きながら後方にシフトし、無線端末Ａ宛の送信待ちデータフレームの優先順位を下げる処理を行う構成である。【００２３】
第１の発明の無線通信システムにおいて、制御手段は、ＲＸＯＰアクセスによる無線端末Ａ宛のデータフレームの送信成功を契機として、無線端末Ａ宛の送信待ちデータフレームの優先順位を下げる処理を行う構成である。【００２４】
第１の発明の無線通信システムにおいて、制御手段は、ＲＸＯＰアクセスによる無線端末Ａ宛のデータフレームが送信バッファの先頭に連続して存在する時間長が所定値を上回ったことを契機として、無線端末Ａ宛の送信待ちデータフレームの優先順位を下げる処理を行う構成である。【００２５】
第１の発明の無線通信システムにおいて、制御手段は、ＲＸＯＰアクセスによる無線端末Ａ宛のデータフレームの数またはデータフレームのビット量が所定値を上回ったことを契機として、無線端末Ａ宛の送信待ちデータフレームの優先順位を下げる処理を行う構成である。【００２６】
第２の発明は、ランダムアクセス方式に基づいて、無線基地局から無線端末に下り回線通信を行う場合に、無線基地局が取得した送信権（ＴＸＯＰアクセス）、または無線端末が取得し無線基地局に譲渡された送信権（ＲＸＯＰアクセス）に基づいて下り回線通信を行う無線通信方法において、無線基地局は、無線端末ごとに送信するデータフレームを順次格納する送信バッファに対して、ＲＸＯＰアクセスによる無線端末Ａ宛のデータフレームの送信状況に応じて、当該無線端末Ａ宛のＴＸＯＰアクセスによる送信待ちデータフレームの優先順位を下げる処理を行う。
【発明の効果】
【００２７】
本発明は、ＲＸＯＰアクセスによる無線端末Ａ宛のデータフレームの送信状況に応じて、無線端末Ａ宛のＴＸＯＰアクセスによる送信待ちデータフレームの優先順位を下げ、無線端末Ａ宛以外の無線端末のＴＸＯＰアクセスによる送信待ちデータフレームの優先順位を上げる処理を行うことにより、ＴＸＯＰアクセスとＲＸＯＰアクセスを行う無線端末間のスループットのアンバランスを解消することができる。
【図面の簡単な説明】
【００２８】
【図１】ＡＰの送信バッファのスケジュール制御例１を示す図である。
【図２】ＡＰの送信バッファのスケジュール制御例２を示す図である。
【図３】ＡＰの送信バッファのスケジュール制御例３を示す図である。
【図４】ＡＰの送信バッファのスケジュール制御例４を示す図である。
【図５】ＡＰの送信バッファのスケジュール制御例１’を示す図である。
【図６】ＡＰの送信バッファのスケジュール制御例２’を示す図である。
【図７】ＡＰの送信バッファのスケジュール制御例３’を示す図である。
【図８】ＡＰの送信バッファのスケジュール制御例４’を示す図である。
【図９】無線通信システムの下り回線通信の例１を示す図である。
【図１０】無線通信システムの下り回線通信の例２を示す図である。
【図１１】従来のＡＰの送信バッファの状態を示す図である。
【発明を実施するための形態】
【００２９】
（ＡＰの送信バッファのスケジュール制御例１）
図１は、本発明におけるＡＰの送信バッファのスケジュール制御例１を示す。図１(1) は制御前、図１(2) は制御後を示す。
【００３０】
図１において、ＡＰの送信バッファには、ＳＴＡ１宛のシーケンス番号ｎのデータフレームＳＴＡ１(n) 、ＳＴＡ１宛のシーケンス番号ｎ＋１のデータフレームＳＴＡ１(n+1) 、ＳＴＡ２宛のシーケンス番号ｍのデータフレームＳＴＡ２(m) 、ＳＴＡ１宛のシーケンス番号ｎ＋２のデータフレームＳＴＡ２(n+2) 、ＳＴＡ２宛のシーケンス番号ｍ＋１のデータフレームＳＴＡ２(m+1) 、ＳＴＡ１宛のシーケンス番号ｎ＋３のデータフレームＳＴＡ１(n+3) が順次格納されている。ＡＰは、ＴＸＯＰアクセスまたはＲＸＯＰアクセスによる送信権を取得するごとに、データフレームを先頭から１つずつ送信する。
【００３１】
本発明による送信バッファのスケジュール制御では、ＲＸＯＰアクセスによるＳＴＡ宛のデータフレームの送信状況に応じて、当該ＳＴＡ宛のＴＸＯＰアクセスによる送信待ちデータフレームの優先順位を下げる処理を行うことを特徴とする。ここでは、ＴＸＯＰアクセスによるＳＴＡ１宛のデータフレームの優先順位を下げ、ＳＴＡ２宛のデータフレームの優先順位を上げる例について説明する。
【００３２】
優先順位を下げるＳＴＡ１宛の先頭からＰ個のデータフレームを後方に順次シフトする。ここでは、Ｐ＝１の例を示す。ＳＴＡ１(n) をＳＴＡ１(n+1) の位置に入れ替え、ＳＴＡ１(n+1) をＳＴＡ１(n+2) の位置に入れ替え、ＳＴＡ１(n+2) をＳＴＡ１(n+3) の位置に入れ替え、ＳＴＡ１(n+3) を末尾に配置する。
【００３３】
これにより、ＳＴＡ１宛の送信待ちデータフレームの優先順位を下げ、ＴＸＯＰアクセスによりＳＴＡ２宛のデータフレームを優先的に送信することができる。
【００３４】
（ＡＰの送信バッファのスケジュール制御例２）
図２は、本発明におけるＡＰの送信バッファのスケジュール制御例２を示す。図２(1) は制御前、図２(2) は制御後を示す。
【００３５】
本実施例の特徴は、図１(1) と同様の図２(1) の状況において、ＲＸＯＰアクセスによりスループットが改善するＳＴＡ１以外のＳＴＡ２宛のデータフレームについて、先頭からＰ個のデータフレームを前方に順次シフトする。ここでは、Ｐ＝１の例を示す。ＳＴＡ２(m) をＳＴＡ１(n+1) の前の位置にシフトし、ＳＴＡ２(m+1) をＳＴＡ２(m) の位置にシフトする。
これにより、ＳＴＡ１宛の送信待ちデータフレームの優先順位を下げ、ＴＸＯＰアクセスによりＳＴＡ２宛のデータフレームを優先的に送信することができる。
【００３６】
（ＡＰの送信バッファのスケジュール制御例３）
図３は、本発明におけるＡＰの送信バッファのスケジュール制御例３を示す。図３(1) は制御前、図３(2) は制御後を示す。
【００３７】
本実施例の特徴は、図１(1) と同様の図３(1) の状況において、ＲＸＯＰアクセスによりスループットが改善するＳＴＡ１以外のＳＴＡ２宛のデータフレームについて、先頭からＰ個のデータフレームを送信バッファの先頭にシフトする。ここでは、Ｐ＝１の例を示す。ＳＴＡ２(m) が先頭となり、ＳＴＡ１(n) ，ＳＴＡ１(n+1) がその後に繰り下がる。  これにより、ＳＴＡ１宛の送信待ちデータフレームの優先順位を下げ、ＴＸＯＰアクセスによりＳＴＡ２宛のデータフレームを優先的に送信することができる。
【００３８】
（ＡＰの送信バッファのスケジュール制御例４）
図４は、本発明におけるＡＰの送信バッファのスケジュール制御例４を示す。図４(1) は制御前、図４(2) は制御後を示す。
【００３９】
本実施例の特徴は、図１(1) と同様の図４(1) の状況において、ＲＸＯＰアクセスによりスループットが改善するＳＴＡ１以外のＳＴＡ２宛のデータフレームについて、シフト位置を一定比率ρで間引きながら後方にシフトする。ここでは、ρ＝0.5 の例を示す。ＳＴＡ１(n) とＳＴＡ１(n+2) のシフト位置が間引きの対象となり、ＳＴＡ１(n) をＳＴＡ１(n+1) の位置にシフトし、ＳＴＡ１(n+1) をＳＴＡ１(n+3) の位置にシフトし、ＳＴＡ１(n+2) をその後にシフトする。
これにより、ＳＴＡ１宛の送信待ちデータフレームの優先順位を下げ、ＴＸＯＰアクセスによりＳＴＡ２宛のデータフレームを優先的に送信することができる。
【００４０】
以上示した制御例１〜４では、ＲＸＯＰアクセスによりスループットが改善するＳＴＡ１に対して、ＴＸＯＰアクセスの送信機会の優先順位を下げることにより、ＲＸＯＰアクセスによりスループットが改善しない他のＳＴＡ２のスループットを向上させることができる。
【００４１】
また、以上示した制御例１〜４は、ＡＰからＳＴＡ１に対する以下の送信状況をトリガとして実行する。
ケース１は、ＳＴＡ１のＲＸＯＰアクセスの開始や実行に基づくトリガである。ＡＰは、ＳＴＡ１に対してＲＸＯＰアクセスを行うことの決定、ＳＴＡ１に対してＲＸＯＰアクセスを行うことの通知、ＳＴＡ１からＲＸＯＰアクセスの開始通知をトリガとして、制御例１〜４を実行する。あるいは、これらをトリガとして、以下一定時間ごとに制御例１〜４を実行してもよい。
【００４２】
ケース２は、ＳＴＡ１のＲＸＯＰアクセスによる送信成功に基づくトリガである。ＡＰは、ＲＸＯＰアクセスによるパケット送信成功、ＲＸＯＰアクセスによるパケット送信成功率が一定値を満たす、ＲＸＯＰアクセスにより送信したパケット数／ビット量が一定値を満たすことを条件として、これら条件が満たされた場合に制御例１〜４を実行する。
【００４３】
ケース３は、ＳＴＡ１のＴＸＯＰアクセスによる送信待ちパケットに基づくトリガである。ＡＰは、送信待ちパケットの優先順位を下げようとするＳＴＡ１のパケットが、先頭に存在する時間をパラメータとして制御例１〜４を実行する。例えば、ＡＰは、優先順位を下げようとするＳＴＡ１のパケットが先頭に存在する時間、先頭に存在する間にアクセス権を取得した回数、先頭に連続的に存在するパケットの数を条件として、制御例１〜４を実行する。
【００４４】
ここで、ケース１とケース３は、上記の送信バッファのスケジュール制御例１〜４で説明できるが、ケース２はＲＸＯＰアクセスによりＳＴＡのデータフレームが送信成功したことをトリガとする。以下に、ケース２における制御例について説明する。
【００４５】
図５〜図８のスケジュール制御例１’〜スケジュール制御例４’は、図１〜図４のスケジュール制御例１〜スケジュール制御例４に対応する。
【００４６】
図５において、ＲＸＯＰアクセスにより、ＳＴＡ１宛てのシーケンス番号ｎのデータフレームＳＴＡ１(n) が正常送信されたことをトリガとする。スケジュール制御例１’では、ＳＴＡ１宛の先頭からＰ個のデータフレームを後方に順次シフトする。ここでは、Ｐ＝１の例を示す。ＳＴＡ１(n+1) をＳＴＡ１(n+2) の位置に入れ替え、ＳＴＡ１(n+2) をＳＴＡ１(n+3) の位置に入れ替え、ＳＴＡ１(n+3) を末尾に配置する。その結果、ＳＴＡ２宛のシーケンス番号ｍのデータフレームＳＴＡ２(m) が送信バッファの先頭になる。
【００４７】
図６において、ＲＸＯＰアクセスにより、ＳＴＡ１宛てのシーケンス番号ｎのデータフレームＳＴＡ１(n) が正常送信されたことをトリガとする。スケジュール制御例２’では、ＳＴＡ２宛の先頭からＰ個のデータフレームを前方に順次シフトする。ここでは、Ｐ＝１の例を示す。ＳＴＡ２(m) をＳＴＡ１(n+1) の前の位置にシフトし、ＳＴＡ２(m+1) をＳＴＡ２(m) の位置にシフトする。その結果、ＳＴＡ２宛のシーケンス番号ｍのデータフレームＳＴＡ２(m) が送信バッファの先頭になる。
【００４８】
図７において、ＲＸＯＰアクセスにより、ＳＴＡ１宛てのシーケンス番号ｎのデータフレームＳＴＡ１(n) が正常送信されたことをトリガとする。スケジュール制御例３’では、ＳＴＡ２宛の先頭からＰ個のデータフレームを送信バッファの先頭にシフトする。ここでは、Ｐ＝１の例を示す。ＳＴＡ２(m) が先頭となり、ＳＴＡ１(n+1) がその後に繰り下がる。
【００４９】
図８において、ＲＸＯＰアクセスにより、ＳＴＡ１宛てのシーケンス番号ｎのデータフレームＳＴＡ１(n) が正常送信されたことをトリガとする。スケジュール制御例４’では、ＳＴＡ１宛のデータフレームのシフト位置を一定比率ρで間引きながら後方にシフトする。ここでは、ρ＝0.5 の例を示す。ＳＴＡ１(n+1) とＳＴＡ１(n+3) のシフト位置が間引きの対象となり、ＳＴＡ１(n+1) をＳＴＡ１(n+2) の位置にシフトし、ＳＴＡ１(n+2) をＳＴＡ１(n+3) 以降の位置にシフトし、ＳＴＡ１(n+3) をその後にシフトする。
【符号の説明】
【００５０】
ＡＰ    無線基地局
ＳＴＡ  無線端末
【図１】
2017033789.tif 000003
【図２】
2017033789.tif 000004
【図３】
2017033789.tif 000005
【図４】
2017033789.tif 000006
【図５】
2017033789.tif 000007
【図６】
2017033789.tif 000008
【図７】
2017033789.tif 000009
【図８】
2017033789.tif 000010
【図９】
2017033789.tif 000011
【図１０】
2017033789.tif 000012
【図１１】
2017033789.tif 000013
【国際調査報告】
2017033789.tif 000014
2017033789.tif 000015
2017033789.tif 000016
2017033789.tif 000017